(57)【要約】【課題】ターミナル−駐車場間を往復する送迎車両（自動運転車）を制御することができるサーバ装置を提供する。【解決手段】駐車場の所定の区画毎に設置されたコード読取装置から、コードと装置ＩＤを受信する第１通信部と、第１通信部が受信したコードと装置ＩＤをデータベースに登録するＤＢ管理部と、ターミナルの車寄せに設置されたコード読取装置から、コードと装置ＩＤを受信する第２通信部と、データベースを検索して、第２通信部が受信したコードに対応する装置ＩＤを出力するＤＢサーチ部と、データベースに登録された復路日程およびこれに対応する装置ＩＤに基づいて、ターミナル−駐車場間を往復する自動運転車である送迎車両の長期配車計画を生成し、第２通信部が受信したコードに対応する装置ＩＤに基づいて、送迎車両の短期配車計画を生成する配車計画部と、長期配車計画と、短期配車計画を送迎車両に送信する第３通信部を含む。【選択図】図３
2020013485.tif 000002
【特許請求の範囲】
【請求項１】
駐車場の所定の区画毎に設置されたコード読取装置から、少なくともチケットＩＤと復路日程を含むコードと、前記コード読取装置の装置ＩＤを受信する第１通信部と、
前記第１通信部が受信した前記コードと前記装置ＩＤをデータベースに登録するＤＢ管理部と、
ターミナルの車寄せに設置された前記コード読取装置から、前記コードと前記装置ＩＤを受信する第２通信部と、
前記データベースを検索して、前記第２通信部が受信した前記コードに対応する前記装置ＩＤを出力するＤＢサーチ部と、
前記データベースに登録された前記復路日程およびこれに対応する前記装置ＩＤに基づいて、ターミナル−駐車場間を往復する自動運転車である送迎車両の長期配車計画を生成し、前記第２通信部が受信した前記コードに対応する前記装置ＩＤに基づいて、前記送迎車両の短期配車計画を生成する配車計画部と、
前記長期配車計画と、前記短期配車計画を前記送迎車両に送信する第３通信部を含む
サーバ装置。
【請求項２】
駐車場の所定の区画毎に設置されたコード読取装置から、少なくともチケットＩＤと復路日程を含むコードと、前記コード読取装置の装置ＩＤを受信する第１通信部と、
前記第１通信部が受信した前記コードと前記装置ＩＤをデータベースに登録するＤＢ管理部と、
ターミナルの車寄せに設置された前記コード読取装置から、前記コードと前記装置ＩＤを受信し、ターミナルの車寄せに設置された前記コード読取装置に、受信した前記コードに対応する前記装置ＩＤを送信する第２通信部と、
前記データベースを検索して、前記第２通信部が受信した前記コードに対応する前記装置ＩＤを出力するＤＢサーチ部と、
前記データベースに登録された前記復路日程およびこれに対応する前記装置ＩＤに基づいて、ターミナル−駐車場間を往復する自動運転車である送迎車両の長期配車計画を生成する配車計画部と、
前記長期配車計画を前記送迎車両に送信する第３通信部を含む
サーバ装置。
【請求項３】
請求項１または２に記載のサーバ装置であって、
前記配車計画部は、
前記第１通信部が受信した前記装置ＩＤに基づいて前記送迎車両のオンデマンド配車計画を生成し、
前記第３通信部は、
前記オンデマンド配車計画を前記送迎車両に送信する
サーバ装置。
【請求項４】
ユーザの携帯端末から、少なくともチケットＩＤと復路日程を含むコードと、駐車位置情報を受信する第１通信部と、
前記第１通信部が受信した前記コードと前記駐車位置情報をデータベースに登録するＤＢ管理部と、
前記携帯端末から前記コードを受信する第２通信部と、
前記データベースを検索して、前記第２通信部が受信した前記コードに対応する前記駐車位置情報を出力するＤＢサーチ部と、
前記データベースに登録された前記復路日程およびこれに対応する前記駐車位置情報に基づいて、ターミナル−駐車場間を往復する自動運転車である送迎車両の長期配車計画を生成し、前記第２通信部が受信した前記コードに対応する前記駐車位置情報に基づいて、前記送迎車両の短期配車計画を生成する配車計画部と、
前記長期配車計画と、前記短期配車計画を前記送迎車両に送信する第３通信部を含む
サーバ装置。
【請求項５】
ユーザの携帯端末から、少なくともチケットＩＤと復路日程を含むコードと、駐車位置情報を受信する第１通信部と、
前記第１通信部が受信した前記コードと前記駐車位置情報をデータベースに登録するＤＢ管理部と、
前記携帯端末から前記コードを受信し、受信した前記コードに対応する前記駐車位置情報を前記携帯端末に送信する第２通信部と、
前記データベースを検索して、前記第２通信部が受信した前記コードに対応する前記駐車位置情報を出力するＤＢサーチ部と、
前記データベースに登録された前記復路日程およびこれに対応する前記駐車位置情報に基づいて、ターミナル−駐車場間を往復する自動運転車である送迎車両の長期配車計画を生成する配車計画部と、
前記長期配車計画を前記送迎車両に送信する第３通信部を含む
サーバ装置。
【請求項６】
ターミナル−駐車場間を往復する自動運転車である送迎車両内に設置されたコード読取装置から、少なくともチケットＩＤと復路日程を含むコードと、ユーザをピックアップした場所の情報であるピックアップ座標を受信する第１通信部と、
前記第１通信部が受信した前記コードと前記ピックアップ座標をデータベースに登録するＤＢ管理部と、
ターミナルの車寄せに待機する前記送迎車両内に設置されたコード読取装置から、前記コードを受信する第２通信部と、
前記データベースを検索して、前記第２通信部が受信した前記コードに対応する前記ピックアップ座標を出力するＤＢサーチ部と、
前記データベースに登録された前記復路日程およびこれに対応する前記ピックアップ座標に基づいて、前記送迎車両の長期配車計画を生成し、前記第２通信部が受信した前記コードに対応する前記ピックアップ座標に基づいて、前記送迎車両の短期配車計画を生成する配車計画部と、
前記長期配車計画と、前記短期配車計画を前記送迎車両に送信する第３通信部を含む
サーバ装置。
【請求項７】
請求項６に記載のサーバ装置であって、
駐車場の各車室に設置された車室センサからセンサＩＤを受信する第４通信部を含み、
前記配車計画部は、
前記センサＩＤに基づいて前記送迎車両のオンデマンド配車計画を生成し、
前記第３通信部は、
前記オンデマンド配車計画を前記送迎車両に送信する
サーバ装置。
【請求項８】
請求項６に記載のサーバ装置であって、
駐車場の所定のエリアに設置されたセンサからセンサＩＤを受信する第４通信部を含み、
前記配車計画部は、
前記センサＩＤに基づいて前記送迎車両のオンデマンド配車計画を生成し、
前記第３通信部は、
前記オンデマンド配車計画を前記送迎車両に送信する
サーバ装置。
【請求項９】
コンピュータを請求項１から８の何れかに記載のサーバ装置として機能させるプログラム。
【発明の詳細な説明】
【技術分野】
【０００１】
本発明は、ターミナル−駐車場間を往復する送迎車両（自動運転車）を制御するサーバ装置、プログラムに関する。
【背景技術】
【０００２】
非特許文献１は、空港における自動運転バスの導入に向けた取り組みを開示している。
【０００３】
同文献には、空港における自動運転バスの導入によって、利用者の安全性・利便性を担保したうえで、決められたルートを走行する定型業務における省力・省人化の実現を目指すことなどが開示されている。
【先行技術文献】
【非特許文献】
【０００４】
【非特許文献１】全日本空輸株式会社、SBドライブ株式会社、“空港における自動運転バスの導入に向けた取り組みを開始”、［online］、［平成 30年 7月 11日検索］、インターネット〈URL：https://www.ana.co.jp/group/pr/pdf/20180225.pdf〉
【発明の概要】
【発明が解決しようとする課題】
【０００５】
従来技術において、ターミナル−駐車場間を往復する送迎車両（自動運転車）を制御する具体的な方法は知られていなかった。特に、省力・省人化によってもサービスの質が低下しないような工夫が必要であるものの、どのような工夫がなされるべきかは明らかでなかった。
【０００６】
そこで本発明では、ターミナル−駐車場間を往復する送迎車両（自動運転車）を制御することができるサーバ装置を提供する。
【課題を解決するための手段】
【０００７】
本発明のサーバ装置は、第１通信部と、ＤＢ管理部と、第２通信部と、ＤＢサーチ部と、配車計画部と、第３通信部を含む。
【０００８】
第１通信部は、駐車場の所定の区画毎に設置されたコード読取装置から、少なくともチケットＩＤと復路日程を含むコードと、コード読取装置の装置ＩＤを受信する。ＤＢ管理部は、第１通信部が受信したコードと装置ＩＤをデータベースに登録する。第２通信部は、ターミナルの車寄せに設置されたコード読取装置から、コードと装置ＩＤを受信する。ＤＢサーチ部は、データベースを検索して、第２通信部が受信したコードに対応する装置ＩＤを出力する。配車計画部は、データベースに登録された復路日程およびこれに対応する装置ＩＤに基づいて、ターミナル−駐車場間を往復する自動運転車である送迎車両の長期配車計画を生成し、第２通信部が受信したコードに対応する装置ＩＤに基づいて、送迎車両の短期配車計画を生成する。第３通信部は、長期配車計画と、短期配車計画を送迎車両に送信する。
【発明の効果】
【０００９】
本発明のサーバ装置によれば、ターミナル−駐車場間を往復する送迎車両（自動運転車）を制御することができる。
【図面の簡単な説明】
【００１０】
【図１】実施例１に登場するターミナル、駐車場、送迎車両（バス）を説明する図。
【図２】実施例１に登場するターミナル、駐車場、送迎車両（カート）を説明する図。
【図３】実施例１の送迎車両制御システムの構成を示すブロック図。
【図４】実施例１の送迎車両制御システムのＤＢ登録動作を示すシーケンス図。
【図５】実施例１の送迎車両制御システムの長期配車動作を示すシーケンス図。
【図６】実施例１の送迎車両制御システムの短期配車動作を示すシーケンス図。
【図７】変形例１の送迎車両制御システムの情報呈示動作を示すシーケンス図。
【図８】実施例２の送迎車両制御システムの構成を示すブロック図。
【図９】実施例３の送迎車両制御システムの構成を示すブロック図。
【図１０】実施例３の送迎車両制御システムのオンデマンド動作を示すシーケンス図。
【図１１】実施例３の送迎車両制御システムのＤＢ登録動作を示すシーケンス図。
【図１２】実施例３の送迎車両制御システムの短期配車動作を示すシーケンス図。
【図１３】実施例４の送迎車両制御システムの構成を示すブロック図。
【図１４】実施例５の送迎車両制御システムの構成を示すブロック図。
【図１５】実施例５の送迎車両制御システムのＤＢ登録動作＋オンデマンド動作を示すシーケンス図。
【発明を実施するための形態】
【００１１】
以下、本発明の実施の形態について、詳細に説明する。なお、同じ機能を有する構成部には同じ番号を付し、重複説明を省略する。
【００１２】
以下、各実施例に登場するターミナル、駐車場、送迎車両、コード読取装置、表示装置、サーバ装置について説明する。
【００１３】
≪ターミナル≫
この明細書においてターミナルとは、空港、鉄道の駅、船着場など、公共交通機関における乗降のための施設全般を指す。以下の実施例では、ターミナルの具体例として空港が登場する。
【００１４】
≪駐車場≫
この明細書において駐車場とは、ターミナルの利用に適した駐車場全般を指す。駐車場として、ターミナルが所有する駐車場、ターミナルが所有しない駐車場（例えば他の駐車場事業者が管理・運営する駐車場）などが考えられる。以下の実施例では、駐車場の具体例としてターミナルが所有する駐車場とターミナルが所有しない駐車場の双方が登場する。
【００１５】
≪送迎車両≫
この明細書において送迎車両とは、バス、カート、路面電車、モノレールなど、ターミナル−駐車場間を往復することにより、ユーザを駐車場からターミナル、またはターミナルから駐車場に送迎する自動運転車を指す。以下の実施例では、送迎車両の具体例としてバスとカートが登場する。
【００１６】
≪コード読取装置≫
この明細書においてコード読取装置とは、ユーザが所持する航空券、乗船券、乗車券、その他のチケット、クレジットカードなどから、情報を読み取る装置のことである。コード読取装置は、ＱＲコード（登録商標）、バーコード、磁気コード、ＩＣチップなど、情報が記録された媒体を読み取ることができる装置である。コード読取装置は、読み取ったコードとコード読取装置自身のＩＤ（装置ＩＤ）を対にして、後述するサーバ装置に送信する機能を有する。コード読取装置は、駐車場の所定の区画毎に設置されているものとする。例えばコード読取装置は各車室に一台ずつ設置されてもよい。またコード読取装置は駐車場の所定の区画ごとに一台ずつ設置されてもよい。あるいはコード読取装置は各駐車場に一台ずつ設置されてもよい。
【００１７】
≪表示装置≫
この明細書において表示装置とは、後述するサーバ装置から受信した情報を表示し、ユーザに呈示する装置である。表示装置はユーザの自動車の駐車場所を知らせるための装置であるため、ターミナルの車寄せなどに設置すれば好適である。
【００１８】
≪サーバ装置≫
この明細書においてサーバ装置とは、ユーザの車両の駐車場所をデータベース上で管理し、データベースの情報に基づいて送迎車両の配車計画を生成し、送迎車両に配車計画を送信することによって送迎車両を制御する装置である。
【実施例１】
【００１９】
以下、図１を参照して、実施例１に登場するターミナル、駐車場、送迎車両（バス）を説明する。図１に示すように、図の左上に斜線ハッチングで示した建物がターミナルであるものとする。同図の右にターミナルが所有する駐車場を開示した。この駐車場は、区画Ａ１、区画Ａ２、区画Ａ３、区画Ａ４、…などに区分されているものとする。また同図の左下にターミナルが所有しない駐車場を開示した。この駐車場は、駐車場Ｘ１、駐車場Ｘ２、…などと呼称する。同図の例では、ターミナルが所有する駐車場の各区画（区画Ａ１、区画Ａ２、区画Ａ３、区画Ａ４、…）に対して、コード読取装置９−Ａ１、９−Ａ２、９−Ａ３、９−Ａ４、…が設置されているものとする。また、ターミナルが所有しない駐車場Ｘ１、Ｘ２、…に対してコード読取装置９−Ｘ１、９−Ｘ２、…が設置されているものとする。一方、ターミナルの車寄せにはコード読取装置９−ＴＥＲＭ、表示装置８−ＴＥＲＭが設置されているものとする。同図の例においてバス７は送迎車両（自動運転車）である。バス７は、ターミナルの車寄せから出発し、ターミナルが所有する駐車場の各区画（区画Ａ１、区画Ａ２、区画Ａ３、区画Ａ４、…）やターミナルが所有しない各駐車場Ｘ１、Ｘ２、…を経由してターミナルの車寄せに戻る周回コースを走行し続けているものとする。例えばバス７は、各コード読取装置９−Ａ１、９−Ａ２、９−Ａ３、９−Ａ４、…、９−Ｘ１、９−Ｘ２、…を停留所とみなし、各停留所においてユーザを乗降させる。
【００２０】
以下、図２を参照して、実施例１に登場するターミナル、駐車場、送迎車両（カート）を説明する。図１との違いは、送迎車両（自動運転車）をカート６としたことのみである。カート６は例えば４〜６人乗り程度とし、ユーザとユーザの同行者のみをピックアップする想定でもよい。カート６は、図１におけるバス７と同様に、各コード読取装置９−Ａ１、９−Ａ２、９−Ａ３、９−Ａ４、…、９−Ｘ１、９−Ｘ２、…を停留所とみなし、各停留所を周回してもよい。また停留所という概念を用いずに、ユーザが駐車した車室までオンデマンドにユーザを迎えに行く構成としてもよい（詳細は後述）。
【００２１】
以下、図３を参照して実施例１の送迎車両制御システムの構成を説明する。同図に示すように本実施例の送迎車両制御システム１０００は、前述したコード読取装置９−Ａ１、９−Ａ２、９−Ａ３、９−Ａ４、…、９−Ｘ１、９−Ｘ２、…と、コード読取装置９−ＴＥＲＭと、表示装置８−ＴＥＲＭ（場合により省略可能）と、バス７およびカート６（何れか一方のみとしてもよいし、併用してもよい）と、サーバ装置１ａを含む。
【００２２】
同図に示すように、サーバ装置１ａは、通信部１１と、ＤＢ（データベース）管理部１２と、ＤＢ（データベース）１３と、ＤＢ（データベース）サーチ部１４と、配車計画部１５を含み、通信部１１は、第１通信部１１１と、第２通信部１１２と、第３通信部１１３を含む。
【００２３】
＜ＤＢ登録動作＞
以下、図４を参照して本実施例の送迎車両制御システム１０００のＤＢ登録動作を説明する。まず、ユーザがターミナルに向かう目的で、図１（図２）に示す何れかの車室に駐車したものとする。例えば、ユーザは、ターミナルが所有する駐車場の区画Ａ３内の車室に駐車したものとする。次にユーザは、最も近いコード読取装置（この例の場合はコード読取装置９−Ａ３）に、自分のチケット（または自分のクレジットカードなど）を読み込ませる。
【００２４】
コード読取装置（この例の場合はコード読取装置９−Ａ３）は、コードを読み取る（Ｓ９Ａ）。コード読取装置（この例の場合はコード読取装置９−Ａ３）は読み取ったコードとコード読取装置の装置ＩＤをサーバ装置１ａに送信する（Ｓ９Ｂ）。
【００２５】
サーバ装置１ａの第１通信部１１１は、コード読取装置（この例の場合はコード読取装置９−Ａ３）から、少なくともチケットＩＤと復路日程を含むコードと装置ＩＤを受信する（Ｓ１１１Ａ）。ＤＢ管理部１２は、第１通信部１１１が受信したコードと装置ＩＤをＤＢ１３に登録する（Ｓ１２）。ＤＢ１３への登録例を以下に示す。
【００２６】
【表１】
2020013485.tif 000003
【００２７】
なお、帰りの日程が未定で帰りのチケットが存在しないなどの理由で、復路日程が存在しない場合、後述する長期配車動作が実行不能になるが、チケットＩＤを用いれば、後述する短期配車動作は実行可能である。以上がＤＢ登録動作である。なお、装置ＩＤと装置の座標は予め対応付けられているものとする。
【００２８】
＜長期配車動作＞
以下、図５を参照して本実施例の送迎車両制御システム１０００の長期配車動作を説明する。サーバ装置１ａの配車計画部１５は、データベースに登録された復路日程およびこれに対応する装置ＩＤに基づいて、ターミナル−駐車場間を往復する自動運転車である送迎車両（バス７、カート６）の長期配車計画を生成する（Ｓ１５Ａ）。例えば表１の例において、復路日程（到着時刻）である2018/07/12/14:15を経過してしばらくすると、該当のユーザは、装置ＩＤ：9-A3近傍に戻ろうとする。ユーザは自分の車に乗って次の目的地（例えば、ユーザの自宅）に移動しようとするからである。上述の表１のデータが大量に集まった場合、各日付の各時刻毎に、ターミナルが所有する駐車場の各区画、あるいはターミナルが所有しない各駐車場への需要がどの程度あるかを予測することができる。配車計画部１５は、ステップＳ１５Ａにおいて、各区画、各駐車場への日付、時刻毎の需要に基づいて長期配車計画を作成する。例えばある日付のある時間帯においてある区画（駐車場）に対する需要が多かった場合、該当の区画（駐車場）に向かう送迎車両（バス７、カート６）を当該日付の当該時間帯において増発するような長期配車計画を作成することができる。一方、ある日付のある時間帯においてある区画（駐車場）に対する需要が少なかった場合、当該日付の当該時間帯において該当の区画（駐車場）に向かう送迎車両（バス７、カート６）を減らすように長期配車計画を作成することができる。あるいは、ある日付のある時間帯においてある区画（駐車場）にのみ需要があった場合には、当該日付の当該時間帯において他の区画の停留場に停車しないように長期配車計画を作成することもできる。
【００２９】
車寄せに待機させる送迎車両（バス７、カート６）についても同様である。例えば、ある日付のある時間帯においてある車寄せに対する需要が多かった場合に、該当の車寄せ、または該当の車寄せ近傍に位置する車庫に待機させる送迎車両（バス７、カート６）を当該日付の当該時間帯において増やすような長期配車計画を作成することができる。
【００３０】
サーバ装置１ａの第３通信部１１３は、長期配車計画を送迎車両（バス７、カート６）に送信する（Ｓ１１３Ａ）。送迎車両（バス７、カート６）は、長期配車計画を受信する（Ｓ６Ａ、Ｓ７Ａ）。送迎車両（バス７、カート６）は、長期配車計画に従った自動運転制御を実行する（Ｓ６Ｂ、Ｓ７Ｂ）。以上が長期配車動作である。
【００３１】
＜短期配車動作＞
以下、図６を参照して本実施例の送迎車両制御システム１０００の短期配車動作を説明する。まず、ユーザは復路日程通りにターミナルに戻ってきて、ターミナルから自分の車に戻る目的で、図１（図２）に示すターミナルの車寄せに出てきたものとする。この場合ユーザは、車寄せに設置されたコード読取装置９−ＴＥＲＭに、自分のチケット（または自分のクレジットカードなど）を読み込ませる。コード読取装置９−ＴＥＲＭは、コードを読み取る（Ｓ９Ａ）。コード読取装置９−ＴＥＲＭは読み取ったコードとコード読取装置９−ＴＥＲＭの装置ＩＤをサーバ装置１ａに送信する（Ｓ９Ｂ）。
【００３２】
サーバ装置１ａの第２通信部１１２は、コード読取装置９−ＴＥＲＭから、コードと装置ＩＤを受信する（Ｓ１１２Ａ）。ステップＳ１１２Ａにおける受信データの例を以下に示す。
【００３３】
【表２】
2020013485.tif 000004
【００３４】
サーバ装置１ａのＤＢサーチ部１４は、ＤＢ１３を検索して、第２通信部１１２が受信したコードに対応する装置ＩＤを出力する（Ｓ１４）。上述の表１、表２の例で考えた場合、ＤＢサーチ部１４は、表２に示すコードに対応する装置ＩＤとして、表１の装置ＩＤ：9-A3、表２の装置ＩＤ：9-TERMを出力する。
【００３５】
サーバ装置１ａの配車計画部１５は、第２通信部１１２が受信したコードに対応する装置ＩＤに基づいて、送迎車両（バス７、カート６）の短期配車計画を生成する（Ｓ１５Ｂ）。上述の表１、表２の例で考えた場合、配車計画部１５は、第２通信部１１２が受信したコード（021546413846, 2018/07/12/14:15）に対応する装置ＩＤ（9-TERM, 9-A3）に基づいて、送迎車両（バス７、カート６）の短期配車計画を生成する（Ｓ１５Ｂ）。上述の表１、表２の例で考えた場合、短期配車計画は、コード読取装置９−ＴＥＲＭの前に停車中、あるいはコード読取装置９−ＴＥＲＭの最も近くに停車中、あるいは走行中の送迎車両（バス７、カート６）に対して、コード読取装置９−ＴＥＲＭの前でユーザをピックアップし、当該ユーザをコード読取装置９−Ａ３まで送迎する内容とすれば好適である。サーバ装置１ａの第３通信部１１３は、短期配車計画を送迎車両（バス７、カート６）に送信する（Ｓ１１３Ｂ）。送迎車両（バス７、カート６）は、短期配車計画を受信する（Ｓ６Ａ、Ｓ７Ａ）。送迎車両（バス７、カート６）は、短期配車計画に従った自動運転制御を実行する（Ｓ６Ｂ、Ｓ７Ｂ）。なおピックアップするユーザを取り違えることが無いように、送迎車両（バス７、カート６）内にもコード読取装置を設置し、ユーザに自分のチケット（または自分のクレジットカードなど）を読み込ませてもよい。
【００３６】
また公共交通機関に遅延や運休が生じるケースに備え、サーバ装置１ａは、ターミナルが管理する装置から所定時間毎に運行スケジュールを受信し、運行スケジュールに変更（遅延、振替）が生じた場合には、変更に応じてＤＢ１３の復路日程の欄を更新してもよい。以上が短期配車動作である。
【００３７】
＜変形例１＞
以下、図７を参照して、実施例１における短期配車動作を行わず、情報呈示動作に代替した変形例１の送迎車両制御システムについて説明する。本変形例では、図４、図５の動作、および図６におけるステップＳ９Ａ、Ｓ９Ｂ、Ｓ１１２Ａ、Ｓ１４は上記実施例１と同様に実行される。
【００３８】
ステップＳ１４実行後、第２通信部１１２は、ターミナルの車寄せに設置されたコード読取装置９−ＴＥＲＭに、受信したコードに対応する装置ＩＤを送信する（Ｓ１１２Ｂ）。上述の表１、表２の例で考えた場合、受信したコードに対応する装置ＩＤは9-TERM, 9-A3である。
【００３９】
コード読取装置９−ＴＥＲＭは、対応する装置ＩＤ（例えば9-TERM, 9-A3）を受信する（Ｓ９Ｃ）。コード読取装置９−ＴＥＲＭは、対応する装置ＩＤ（例えば9-TERM, 9-A3）を、表示装置８−ＴＥＲＭに送信する（Ｓ９Ｄ）。表示装置８−ＴＥＲＭは、対応する装置ＩＤ（例えば9-TERM, 9-A3）を受信する（Ｓ８Ａ）。表示装置８−ＴＥＲＭは、対応する装置ＩＤ（例えば9-TERM, 9-A3）を表示する（Ｓ８Ｂ）。なお、ステップＳ１１２Ｂにおいて、データの送付先をコード読取装置９−ＴＥＲＭでなく、表示装置８−ＴＥＲＭにしてもよい。この場合、ステップＳ９Ｃ、Ｓ９Ｄは不要である。
【００４０】
ユーザは表示装置８−ＴＥＲＭの表示を確認する。上述の表１、表２の例で考えた場合、ユーザは、「９−ＴＥＲＭ→９−Ａ３」あるいは単に「９−Ａ３」という表示を確認することになる。この場合ユーザは、コード読取装置９−Ａ３に向かうバス７（あるいはカート６）に乗車し、コード読取装置９−Ａ３においてバス７あるいはカート６から降車することで、自分の車の近くまで簡単に到達することができる。
【実施例２】
【００４１】
以下、図８を参照して実施例２の送迎車両制御システムの構成を説明する。同図に示すように本実施例の送迎車両制御システム２０００は、駐車場内に設置され、位置情報を記録するコード４−１、４−２、…と、ユーザの所有物である携帯端末５と、バス７およびカート６（何れか一方のみとしてもよいし、併用してもよい）と、サーバ装置１ｂを含む。サーバ装置１ｂの内部構成は、実施例１のサーバ装置１ａと同様である。本実施例では、実施例１に登場したコード読取装置９−Ａ１、…９−Ｘ１、…、９−ＴＥＲＭの役割と、表示装置８−ＴＥＲＭの役割を携帯端末５が担うことを特徴とする。以下、携帯端末５とサーバ装置１ｂの動作を説明する。
【００４２】
＜ＤＢ登録動作＞
携帯端末５は、少なくともチケットＩＤと復路日程を含むコードを事前に取得しているものとする。取得の方法は、ユーザによる手入力でも良いし、専用アプリケーションによる自動取得でも良い。また、携帯端末５は、駐車場内に設置されたコード（コード４−１、４−２、…のいずれか、ここではコード４−１とする）から位置情報を事前に読み取り、これを駐車位置情報として保持しているものとする。
【００４３】
サーバ装置１ｂの第１通信部１１１は、ユーザの携帯端末５から、少なくともチケットＩＤと復路日程を含むコードと、駐車位置情報を受信する。ＤＢ管理部１２は、第１通信部１１１が受信したコードと駐車位置情報をＤＢ１３に登録する。以上がＤＢ登録動作である。
【００４４】
＜長期配車動作＞
サーバ装置１ｂの配車計画部１５は、ＤＢ１３に登録された復路日程およびこれに対応する駐車位置情報に基づいて、ターミナル−駐車場間を往復する自動運転車である送迎車両（バス７、カート６）の長期配車計画を生成する。第３通信部１１３は、長期配車計画を送迎車両（バス７、カート６）に送信する。以上が長期配車動作であり、これらの動作は実施例１と同様である。
【００４５】
＜短期配車動作＞
ユーザは復路日程通りにターミナルに戻ってきて、ターミナルから自分の車に戻る目的で、図１（図２）に示すターミナルの車寄せに出てきたものとする。この場合ユーザは、携帯端末５を操作し、少なくともチケットＩＤと復路日程を含むコードをサーバ装置１ｂに送信する。サーバ装置１ｂの第２通信部１１２は、携帯端末５からコードを受信する。サーバ装置１ｂのＤＢサーチ部１４は、ＤＢ１３を検索して、第２通信部１１２が受信したコードに対応する駐車位置情報を出力する。サーバ装置１ｂの配車計画部１５は、第２通信部１１２が受信したコードに対応する駐車位置情報に基づいて、送迎車両（バス７、カート６）の短期配車計画を生成する。サーバ装置１ｂの第３通信部１１３は、短期配車計画を送迎車両（バス７、カート６）に送信する。以上が短期配車動作である。
【００４６】
＜変形例２＞
以下、実施例２における短期配車動作を行わず、情報呈示動作に代替した変形例２の送迎車両制御システムについて説明する。この変形例において、サーバ装置１ｂの第２通信部１１２は、携帯端末５からコードを受信し、受信したコードに対応する駐車位置情報を携帯端末５に送信する。携帯端末５は駐車位置情報を受信し、これを表示する。
【００４７】
ユーザは携帯端末５の表示を確認する。ユーザは、表示された駐車位置情報に向かうバス７（あるいはカート６）に乗車し、表示された駐車位置情報においてバス７あるいはカート６から降車することで、自分の車の近くまで簡単に到達することができる。
【実施例３】
【００４８】
以下、図９を参照して実施例３の送迎車両制御システムの構成を説明する。同図に示すように本実施例の送迎車両制御システム３０００は、駐車場の各車室に設置される車室センサ３と、送迎車両（バス７、カート６）内に設置されたコード読取装置９−ＣＡＲと、バス７およびカート６（何れか一方のみとしてもよいし、併用してもよい）と、サーバ装置１ｃを含む。サーバ装置１ｃは、通信部１１と、ＤＢ（データベース）管理部１２と、ＤＢ（データベース）１３と、ＤＢ（データベース）サーチ部１４と、配車計画部１５を含み、通信部１１は、第１通信部１１１と、第２通信部１１２と、第３通信部１１３、第４通信部１１４を含み、第４通信部１１４以外の各構成要件は実施例１と同じである。
【００４９】
＜オンデマンド動作＞
以下、図１０を参照して本実施例の送迎車両制御システム３０００のオンデマンド動作を説明する。ユーザは、車室センサ３が検知する車室に駐車を行ったものとする。この場合、車室センサ３は、満車を検知する（Ｓ３Ａ）。満車を検知した車室センサ３は、サーバ装置１ｃにセンサＩＤを送信する（Ｓ３Ｂ）。サーバ装置１ｃの第４通信部１１４は、車室センサ３からセンサＩＤを受信する（Ｓ１１４）。サーバ装置１ｃの配車計画部１５は、センサＩＤに基づいて送迎車両（バス７、カート６）のオンデマンド配車計画を生成する（Ｓ１５Ｃ）。サーバ装置１ｃの第３通信部１１３は、オンデマンド配車計画を送迎車両（バス７、カート６）に送信する（Ｓ１１３Ｃ）。送迎車両（バス７、カート６）は、オンデマンド配車計画を受信する（Ｓ６Ａ、Ｓ７Ａ）。送迎車両（バス７、カート６）は、オンデマンド配車計画に従った自動運転制御を実行する（Ｓ６Ｂ、Ｓ７Ｂ）。以上がオンデマンド動作である。
【００５０】
＜ＤＢ登録動作＞
以下、図１１を参照して本実施例の送迎車両制御システム３０００のＤＢ登録動作を説明する。ユーザは、送迎車両（バス７、カート６）内に設置されたコード読取装置９−ＣＡＲに、自分のチケット（または自分のクレジットカードなど）を読み込ませる。
【００５１】
コード読取装置９−ＣＡＲは、少なくともチケットＩＤと復路日程を含むコードを読み取る（Ｓ９Ａ）。コード読取装置９−ＣＡＲは読み取ったコードとユーザをピックアップした場所の情報であるピックアップ座標をサーバ装置１ｃに送信する（Ｓ９Ｂ）。
【００５２】
サーバ装置１ｃの第１通信部１１１は、コード読取装置９−ＣＡＲから、コードと、ピックアップ座標を受信する（Ｓ１１１Ｂ）。サーバ装置１ｃのＤＢ管理部１２は、第１通信部１１１が受信したコードとピックアップ座標をＤＢ１３に登録する（Ｓ１２）。以上がＤＢ登録動作である。
【００５３】
＜長期配車動作＞
サーバ装置１ｃの配車計画部１５は、ＤＢ１３に登録された復路日程およびこれに対応するピックアップ座標に基づいて、送迎車両（バス７、カート６）の長期配車計画を生成する。第３通信部１１３は、長期配車計画を送迎車両（バス７、カート６）に送信する。以上が長期配車動作であり、これらの動作は実施例１と同様である。
【００５４】
＜短期配車動作＞
以下、図１２を参照して本実施例の送迎車両制御システム３０００の短期配車動作を説明する。まず、ユーザは復路日程通りにターミナルに戻ってきて、ターミナルから自分の車に戻る目的で、図１（図２）に示すターミナルの車寄せに出て、ターミナルの車寄せに待機する送迎車両（バス７、カート６）に乗り込んだものとする。
【００５５】
この場合ユーザは、送迎車両（バス７、カート６）内に設置されたコード読取装置９−ＣＡＲに、自分のチケット（または自分のクレジットカードなど）を読み込ませる。コード読取装置９−ＣＡＲは、コードを読み取る（Ｓ９Ａ）。コード読取装置９−ＣＡＲは読み取ったコードをサーバ装置１ｃに送信する（Ｓ９Ｂ）。
【００５６】
サーバ装置１ｃの第２通信部１１２は、コード読取装置９−ＣＡＲから、コードを受信する（Ｓ１１２Ｂ）。サーバ装置１ｃのＤＢサーチ部１４は、ＤＢ１３を検索して、第２通信部１１２が受信したコードに対応するピックアップ座標を出力する（Ｓ１４）。サーバ装置１ｃの配車計画部１５は、第２通信部１１２が受信したコードに対応するピックアップ座標に基づいて、送迎車両（バス７、カート６）の短期配車計画を生成する（Ｓ１５Ｄ）。サーバ装置１ｃの第３通信部１１３は、短期配車計画を送迎車両（バス７、カート６）に送信する（Ｓ１１３Ｄ）。
【００５７】
送迎車両（バス７、カート６）は、短期配車計画を受信する（Ｓ６Ａ、Ｓ７Ａ）。送迎車両（バス７、カート６）は、短期配車計画に従った自動運転制御を実行する（Ｓ６Ｂ、Ｓ７Ｂ）。以上が短期配車動作である。
【実施例４】
【００５８】
実施例３では各車室に車室センサ３を設けたが、これに限らず、駐車場の所定のエリアにセンサを設置してもよい。例えば、センサを入場ゲートのみに設置してもよい。例えば、図１３に示すように、実施例３における車室センサ３を入場ゲートに設置される入場ゲートセンサ３Ａに代替してもよい。実施例３と実施例４の動作はほとんど同じである。実施例３におけるオンデマンド配車計画は、ユーザが駐車した車室からターミナルまでの送迎を意味するものであったが、この実施例では、オンデマンド配車計画は、入場ゲートからターミナルまでの送迎を意味する。
【実施例５】
【００５９】
以下、図１４を参照して実施例５の送迎車両制御システムの構成を説明する。同図に示すように本実施例の送迎車両制御システム５０００は、コード読取装置２−Ａ１、２−Ａ２、…と、コード読取装置２−ＴＥＲＭと、バス７およびカート６（何れか一方のみとしてもよいし、併用してもよい）と、サーバ装置１ｅを含む。同図に示すように、サーバ装置１ｅの構成は、実施例１のサーバ装置１ａと同様である。
【００６０】
本実施例のコード読取装置２−Ａ１、２−Ａ２、…、２−ＴＥＲＭは、実施例１のコード読取装置９−Ａ１、９−Ａ２、９−Ａ３、９−Ａ４、…、９−Ｘ１、９−Ｘ２、…、９−ＴＥＲＭに実施例３（実施例４）のオンデマンド機能を付与した装置である。実施例５の送迎車両制御システム５０００は、図４に示した実施例１の＜ＤＢ登録動作＞と、図１０に示した実施例３の＜オンデマンド動作＞を組み合わせた動作を実行する。
【００６１】
すなわち、ユーザはターミナルに向かう目的で、図１（図２）に示す何れかの車室に駐車し、最も近いコード読取装置（２−Ａ１、２−Ａ２、…のいずれか）に、自分のチケット（または自分のクレジットカードなど）を読み込ませる。
【００６２】
コード読取装置（２−Ａ１、２−Ａ２、…のいずれか）は、コードを読み取る（Ｓ２Ａ）。コード読取装置（２−Ａ１、２−Ａ２、…のいずれか）は読み取ったコードと装置ＩＤをサーバ装置１ｅに送信する（Ｓ２Ｂ）。
【００６３】
サーバ装置１ｅの第１通信部１１１は、コード読取装置（２−Ａ１、２−Ａ２、…のいずれか）から、少なくともチケットＩＤと復路日程を含むコードと装置ＩＤを受信する（Ｓ１１１Ｃ）。
【００６４】
サーバ装置１ｅの配車計画部１５は、第１通信部１１１が受信した装置ＩＤに基づいて送迎車両（バス７、カート６）のオンデマンド配車計画を生成する（Ｓ１５Ｃ）。例えば、利用する航空会社によって搭乗場所が異なり、それに応じて送迎する車寄せが異なる場合には、オンデマンド配車計画において送迎する車寄せが指定される。サーバ装置１ｅの第３通信部１１３は、オンデマンド配車計画を送迎車両（バス７、カート６）に送信する（Ｓ１１３Ｃ）。送迎車両（バス７、カート６）は、オンデマンド配車計画を受信する（Ｓ６Ａ、Ｓ７Ａ）。送迎車両（バス７、カート６）は、オンデマンド配車計画に従った自動運転制御を実行する（Ｓ６Ｂ、Ｓ７Ｂ）。上述したように、送迎する車寄せが複数のうちの何れかである場合に、送迎車両（バス７、カート６）は、これから送迎する車寄せについてユーザに自動音声によるアナウンス、画面表示によるアナウンスなどを行ってもよい。
【００６５】
サーバ装置１ｅのＤＢ管理部１２は、第１通信部１１１が受信したコードと装置ＩＤをＤＢ１３に登録する（Ｓ１２）。
【００６６】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００６７】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００６８】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００６９】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００７０】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００７１】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００７２】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００７３】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００７４】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2020013485.tif 000005
【図２】
2020013485.tif 000006
【図３】
2020013485.tif 000007
【図４】
2020013485.tif 000008
【図５】
2020013485.tif 000009
【図６】
2020013485.tif 000010
【図７】
2020013485.tif 000011
【図８】
2020013485.tif 000012
【図９】
2020013485.tif 000013
【図１０】
2020013485.tif 000014
【図１１】
2020013485.tif 000015
【図１２】
2020013485.tif 000016
【図１３】
2020013485.tif 000017
【図１４】
2020013485.tif 000018
【図１５】
2020013485.tif 000019